(57)【特許請求の範囲】
【請求項１】
床版と杭で構成された水上構造物を新たに打設する杭で支持しておこなう水上構造物の補修方法において、
既設の床版に開口部を形成し、
プレキャスト版の下面に外挿管を突出させ、かつ外挿管は、プレキャスト版から突出する部分に防食処理してある外挿管付きプレキャスト版を使用し、
この外挿管付きプレキャスト版を前記開口部に設置し、
外挿管付きプレキャスト版の上方から外挿管に沿って杭を打設し、
外挿管の先端が水中に位置する状態で、
外挿管付きプレキャスト版と前記杭を接合し、
外挿管付きプレキャスト版と既設の床版を接続することを特徴とする、
水上構造物の補修方法。
【発明の詳細な説明】
【０００１】
【発明の属する技術分野】
本発明は、水中に打設する杭の頭部に設置するプレキャスト製の外挿管付きプレキャスト版、及び桟橋やシーバースなどの水上構造物の補修方法に関するものである。
【０００２】
【従来の技術】
従来、水中に打設する鋼管杭等の頭部の処理は、杭を打設した後に、水上で杭頭部に床版を構築しておこなっていた。水上に露出する鋼管杭の杭頭部付近は、水上で防食処理をおこなっていた。
また、桟橋などの水上構造物を補強、補修する場合は、一旦、既設の床版を撤去し、新設の杭を打設した後に、新たに床版を構築していた。
【０００３】
【本発明が解決しようとする課題】
前記した従来の床版及び水上構造物の構築方法にあっては、次のような問題点がある。
＜イ＞水上で床版の構築、杭の防食処理をおこなう。このため、作業効率が悪く、危険作業にもなる。さらに、水上でおこなう作業は、気象及び海洋条件などの影響を受けるため、品質にばらつきが出やすい。
＜ロ＞新たに杭を打設する際に、既設構造物に制限されて杭打ちができない場合がある。また、杭を打設できる位置が限られる。
＜ハ＞桟橋などを補強、補修する場合、一旦、既設の床版を撤去する。このため、補修期間中は、桟橋を使用することができない。
＜ニ＞従来の水上構造物の構築方法では、作業工程が多く、施工期間が長くなる。
【０００４】
【本発明の目的】
本発明は上記したような従来の問題を解決するためになされたもので、容易に設置できる外挿管付きプレキャスト版を提供することを目的とする。また、本発明は、質の高い防食処理を施した外挿管付きプレキャスト版を提供することを目的とする。更に、本発明は、杭を正確な位置に打設できる外挿管付きプレキャスト版及び水上構造物の構築方法及び水上構造物の補修方法を提供することを目的とする。さらに、本発明は、簡単に施工でき、短期間で供用が開始できる水上構造物の補修方法を提供することを目的とする。本発明は、これらの目的の少なくとも一つを達成するものである。
【０００５】
【課題を解決するための手段】
上記のような目的を達成するために、本発明の水上構造物の補修方法は、床版と杭で構成された水上構造物を新たに打設する杭で支持しておこなう水上構造物の補修方法において、既設の床版に開口部を形成し、プレキャスト版の下面に外挿管を突出させ、かつ外挿管は、プレキャスト版から突出する部分に防食処理してある外挿管付きプレキャスト版を使用し、この外挿管付きプレキャスト版を前記開口部に設置し、外挿管付きプレキャスト版の上方から外挿管に沿って杭を打設し、外挿管の先端が水中に位置する状態で、外挿管付きプレキャスト版と前記杭を接合し、外挿管付きプレキャスト版と既設の床版を接続することを特徴とする。
【０００６】
【本発明の実施の形態】
以下図面を参照しながら本発明の外挿管付きプレキャスト版の実施の形態について説明する。
【０００７】
＜イ＞外挿管付きプレキャスト版
外挿管付きプレキャスト版１は、プレキャスト版２と外挿管３から構成されるプレキャスト部材である。
外挿管付きプレキャスト版１は、杭を打設する前または後に、杭頭部にあたる位置に設置して、杭頭部の防食及び水上構造物の構築又は補修をおこなうものである。
外挿管付きプレキャスト版１は、例えば設置したときに上面となる床版の面を下にして、プレキャスト版２を構築するための型枠内に外挿管３を突き立てて製作することもできる。
プレキャスト版２は、コンクリート又は鋼材などで製作する。
プレキャスト版２の周端面には、必要に応じて既設床版４１などと接続するための接続板６１を取り付ける。
【０００８】
＜ロ＞外挿管
外挿管３は、新設杭３２の頭部付近を覆う管である。
外挿管３は新設杭３２が水上に露出しない長さとする。つまり、杭頭部にあたる位置に外挿管付きプレキャスト版１を設置した場合に、外挿管３の先端が水中に位置するような長さとする。このため、外挿管３は新設杭３２の頭部を防食する役割を果たす。
ここで、外挿管はその先端が常時水中に位置するような長さにするのが好ましい。
外挿管３は、プレキャスト版２から突出する部分に防食層３５を設ける。
防食層３５は、防食処理を施した部分をいう。
また、外挿管３は、新設杭３２を打設する時のガイド管としての役割を果たす。更に、新設杭３２と、プレキャスト版２を接合する役割も果たす。
なお、杭を先行して打設した場合は、外挿管３が外挿管付きプレキャスト版を設置するためのガイドになる。
【０００９】
＜ハ＞仮置用部材
仮置用部材２１は、新設杭３２で外挿管付きプレキャスト版１を支持するまで、外挿管付きプレキャスト版１を所定の位置に固定するための部材である。
例えばプレキャスト版２の上面にプレキャスト版２から突出するように鋼材などを取り付けることにより仮置用部材２１を構築する。
仮置用部材２１のプレキャスト版２から突出した部分を、既設床版４１や水中に予め打設した杭や仮設杭４４などで支持する。
【００１０】
以下図面を参照しながら本発明の水上構造物の構築方法の実施の形態について説明する。
【００１１】
水上構造物は、床版と杭とから構成されるシーバースや桟橋などをいう。
水上構造物４を構築する場合は、まず仮設杭４４を打設して、その上に仮置用部材２１を介して外挿管付きプレキャスト版１を設置する（図５参照）。
そして外挿管３をガイドにして新設杭を打設する。
このようにして構築した水上構造物に隣接する位置に、必要に応じて上記の工程を繰り返して水上構造物を構築し、所定の大きさの水上構造物とすることができる。
なお、新設杭を先行して打設し、外挿管３をガイドにして外挿管付きプレキャスト版１を設置することもできる。
【００１２】
以下図面を参照しながら本発明の水上構造物の補修方法の実施の形態について説明する。
【００１３】
＜イ＞水上構造物
水上構造物４は、既設床版４１と既設杭４３とから構成される桟橋やシーバースなどをいう（図１参照）。
既設床版４１には鋼板又はコンクリート版などが使用される。
既設杭４３には鋼杭、既製コンクリート杭などが使用される。
ここでいう水上構造物の補修とは、既設杭を新設杭に取り替えたり床版を新たに構築する改修に加えて、新設杭を増し杭としたり床版の剛性を高めたりする補強も含まれる。
【００１４】
＜ロ＞開口部の形成
新設杭３２を打設する位置の既設床版４１の一部を、所定の大きさに切断し、撤去して開口部４２を形成する。
既設床版４１がパネルの組み合わせによって構成されている場合は、パネルを撤去して開口部４２を形成する。
【００１５】
＜ハ＞外挿管付きプレキャスト版の設置
前記開口部４２に外挿管付きプレキャスト版１を設置する。
外挿管付きプレキャスト版１は、クレーン等で吊り下げて設置する。
ここで、開口部４２内に外挿管付きプレキャスト版１を吊り下げたときに、仮置用部材２１が既設床版４１に引っ掛かるため、外挿管付きプレキャスト版１は既設床版４１で支持される。
図１に外挿管付きプレキャスト版１の設置状況図を示す。
【００１６】
＜ニ＞杭の打設
図２に新設杭３２の打設状況図を示す。
新設杭３２の先端を外挿管３に挿入して、外挿管３に沿って新設杭３２を打設する。
外挿管３は、予め杭の打設角度及び位置に合わせて取り付けられているので、新設杭３２を精度良く打設することができる。
また、外挿管３は新設杭３２を打設する時のガイドとなるため、吊りハンマーで杭の打ち込みを行うことができる。
【００１７】
＜ホ＞杭頭部の処理
図３に杭頭部周辺の断面図を示す。
外挿管３と新設杭３２の間には、例えばモルタル３１、無収縮モルタル、セメントミルクなどを充填する。
外挿管３及び新設杭３２の上部には中詰コンクリート３３、モルタルなどを充填する。
ここで、予め新設杭３２の頭部付近の外周及び外挿管３上部の内周に環状鉄筋などを取り付けて凸部３４を設けておくのが好ましい。凸部３４周辺のモルタル３１または中詰コンクリート３３が硬化すれば、凸部３４がせん断力に対して抵抗することができる。
【００１８】
＜ヘ＞プレキャスト版と既設床版の接続
図４にプレキャスト版２と既設床版４１の接続部の断面図を示す。
プレキャスト版２の端面には、予め接続用の接続板６１を一部がプレキャスト版２から突出するように埋設しておく。
開口部４２の既設床版４１には、例えばケミカルアンカー６３等を打ち込んで山形鋼材などの断面がＬ型のＬ型材６６を取り付ける。
プレキャスト版２に取り付けた接続板６１と既設床版４１に取り付けたＬ型材６６の間は、接続鉄筋６２で連結する。これらの連結は溶接などでおこなう。
そして、プレキャスト版２と既設床版４１の間にコンクリート等の充填材６５を充填する。
【００１９】
【本発明の効果】
本発明の外挿管付きプレキャスト版及び水上構造物の構築方法及び水上構造物の補修方法は以上説明したようになるから次のような効果を得ることができる。
＜イ＞予め陸上で外挿管付きプレキャスト版を構築する。このため、質の高い防食処理を施すことができる。また、構築した外挿管付きプレキャスト版は、所定の場所にクレーン等で吊り下げて容易に設置できる。
＜ロ＞予め杭を打設する位置及び角度に合わせて外挿管を取り付ける。そしてこの外挿管をガイド管にして新たな杭を打設する。このため、杭を正確な位置に打設できる。
＜ハ＞水上構造物を補修、補強する場合は既設杭が存在する。これらの既設杭に接触しないように正確に新設杭を打設しなければならない。そこで、本発明の外挿管付きプレキャスト版を使用すれば、上述したように正確に杭を打設できるため、既設杭を損傷させることがない。
＜ニ＞水上構造物の既設床版の一部を開口し、プレキャスト製の外挿管付きプレキャスト版を設置すればよい。このため、水上構造物の供用を短期間で再開することができる。
【図面の簡単な説明】
【図１】本発明の外挿管付きプレキャスト版及び水上構造物の補修方法の実施例の説明図
【図２】新設杭の打設時の実施例の説明図
【図３】杭頭部周辺の断面図
【図４】プレキャスト版と既設床版の接続部の断面図
【図５】本発明の水上構造物の構築方法の実施例の説明図
【符号の説明】
１・・・外挿管付きプレキャスト版
２・・・プレキャスト版
３・・・外挿管
３２・・新設杭
４・・・水上構造物
４１・・既設床版
４２・・開口部
【図１】
0004315586.tif 000002
【図２】
0004315586.tif 000003
【図３】
0004315586.tif 000004
【図４】
0004315586.tif 000005
【図５】
0004315586.tif 000006